(57)【要約】【課題】異なる周波数のチャネル切り替えの場合においても、チャネル切り替えに伴う映像・音声が途切れる時間を短縮し、さらにチャネル切り替えの応答時間を短縮する、デジタル放送受信装置を提供することを目的とする。【解決手段】チューナー、復調回路、デスクランブラ、トランスポートデコーダを２系統以上備え、受信チャネル変更後のチャネルを受信状態になり、映像ストリーム中のシーケンスヘッダを検出してＡＶデコードが可能になってから、ストリームを切り替える。【選択図】  図１
2004328366.tif 000002
【特許請求の範囲】
【請求項１】
複数のチューナーと、前記チューナーの各出力を受けてトランスポートストリームを出力する複数の復調手段と、ストリームのデコードを行う複数のトランスポートデコーダと、前記複数のトランスポートデコーダの各出力を受けて、シーケンスヘッダ情報を取り出す、複数のシーケンスヘッダ検出手段と、前記複数のトランスポートデコーダの出力のうち少なくとも１つのストリームを選択するストリーム選択手段と、前記ストリーム選択手段の出力を受け、映像および音声のデコードを行うＡＶデコーダと、前記複数のチューナー、前記複数の復調手段、前記複数のトランスポートデコーダ、前記複数のシーケンスヘッダ検出手段、前記ＡＶデコーダの制御を行う制御手段を備えたことを特徴とするデジタル放送受信機。
【請求項２】
請求項１に記載のデジタル放送受信機において、視聴者が受信チャネルの変更操作を行ったとき、変更前のチャネルの受信に使用していない、前記チューナー、前記復調手段、前記トランスポートデコーダ、前記シーケンスヘッダ検出手段を使用して変更後のチャネルの受信を行い、変更後のチャネルのシーケンスヘッダを受信し、映像・音声がデコード可能になってから後、前記ストリーム選択手段を変更後のチャネルのストリームを受信している前記トランスポートデコーダ側に切り替えることを特徴とする受信チャネル変更方法。
【請求項３】
請求項１に記載のデジタル放送受信機において、視聴者の受信チャネル変更操作に従って請求項２に記載の受信チャネル変更を行った後も、変更前のチャネルの受信に使用していた前記チューナー、前記復調手段、前記トランスポートデコーダ、前記シーケンスヘッダ検出手段はそのまま変更前のチャネルの受信を継続しておき、視聴者が受信チャネルを再度変更して以前受信していたチャネルに戻した場合には、前記ストリーム選択手段を以前のチャネルを受信している前記トランスポートデコーダ側に切り替えることを特徴とする受信チャネル変更方法。
【請求項４】
請求項１に記載のデジタル放送受信機において、視聴者の受信チャネル変更操作に従って請求項２に記載の受信チャネル変更を行った後に、変更前のチャネルの受信に使用していた前記チューナー、前記復調手段、前記トランスポートデコーダ、前記シーケンスヘッダ検出手段は、新たなチャネルを受信するよう選局し、視聴者が受信チャネルを再度変更したときにそのチャネルを選択した場合には、前記ストリーム選択手段をそのチャネルを受信している前記トランスポートデコーダ側に切り替えることを特徴とする受信チャネル変更方法。
【請求項５】
複数のチューナーと、前記チューナーの各出力を受けてトランスポートストリームを出力する複数の復調手段と、ストリームのデコードを行う複数のトランスポートデコーダと、前記複数のトランスポートデコーダの各出力を受けて、映像および音声のデコードを行う複数のＡＶデコーダと、前記複数のＡＶデコーダの出力のうち少なくとも１つの映像および音声を選択する映像音声選択手段と、前記複数のチューナー、前記複数の復調手段、前記複数のデスクランブラ、前記複数のトランスポートデコーダ、前記複数のＡＶデコーダ、前記映像音声選択手段の制御を行う制御手段を備えたことを特徴とするデジタル放送受信機。
【請求項６】
請求項５に記載のデジタル放送受信機において、視聴者が受信チャネルの変更操作を行ったとき、変更前のチャネルの受信に使用していない、前記チューナー、前記復調手段、前記トランスポートデコーダ、前記ＡＶデコーダを使用して受信を行い、変更後のチャネルの映像・音声のデコードが開始された後、前記映像音声選択手段を変更後のチャネルのストリームをデコードしている前記ＡＶデコーダ側に切り替えることを特徴とする受信チャネル変更方法。
【請求項７】
請求項５に記載のデジタル放送受信機において、視聴者の受信チャネル変更操作に従って請求項６に記載の受信チャネル変更を行った後も、変更前のチャネルの受信に使用していた前記チューナー、前記復調手段、前記トランスポートデコーダ、前記ＡＶデコーダはそのまま変更前のチャネルの受信を継続しておき、視聴者が受信チャネルを再度変更して以前受信していたチャネルに戻した場合には、前記映像音声選択手段を以前のチャネルを受信している前記ＡＶデコーダ側に切り替えることを特徴とする受信チャネル変更方法。
【請求項８】
請求項５に記載のデジタル放送受信機において、視聴者の受信チャネル変更操作に従って請求項６に記載の受信チャネル変更を行った後に、変更前のチャネルの受信に使用していた前記チューナー、前記復調手段、前記トランスポートデコーダ、前記ＡＶデコーダは、新たなチャネルを受信するよう選局し、視聴者が受信チャネルを再度変更したときにそのチャネルを選択した場合には、前記映像音声選択手段をそのチャネルを受信している前記ＡＶデコーダ側に切り替えることを特徴とする受信チャネル変更方法。
【請求項９】
請求項１または請求項５に記載のデジタル放送受信機において、文字図形等を映像に重畳するＯＳＤ手段をさらに備え、視聴者が受信チャネルを変更する操作を行った場合に、操作を受け付けてから、変更後のチャネルの映像および音声の出力が始まるまで、前記ＯＳＤ手段はチャネル変更処理中であることを示す文字図形を映像に重畳することを特徴とするデジタル放送受信機。
【請求項１０】
請求項１または請求項５または請求項９に記載のデジタル放送受信機において、付加音声を重畳する付加音声手段をさらに備え、視聴者が受信チャネルを変更する操作を行った場合に、チャネル変更を受け付けたことを示す付加音声を重畳することを特徴とするデジタル放送受信機。
【発明の詳細な説明】
【０００１】
【発明の属する技術分野】
本発明は、デジタル放送受信機およびその受信チャネルの切り替え方法に関する。
【０００２】
【従来の技術】
従来、デジタル放送受信機は一般的に図１０のように構成される。図１０は、標準的なデジタル放送受信機の一例である、デジタル放送受信セットトップボックス（ＳＴＢ）の構成を示すブロック図である。
【０００３】
以下、従来のデジタル放送受信機について図１０を参照しながら説明する。１０はアンテナ、２０は前記アンテナ１０で受信された放送信号から目的の周波数に同調するチューナー、３０は前記チューナーで選局された信号を放送方式に合わせて復調する復調手段、４０はデータが暗号化処理されている場合に復号を行うデスクランブラ、５０は前記デスクランブラが出力するトランスポートストリームから、目的の番組のストリームを取り出すトランスポートデコーダ、６０はストリームをデコードし、映像データおよび音声データを出力するＡＶデコーダ、７０はデコードされた映像データを映像信号として出力する映像出力部、８０はデコードされた音声データを音声信号として出力する音声出力部である。
【０００４】
また、９０は視聴者の操作を受け付けるリモコン、９５はリモコンの信号を受信するリモコン受信部、１００は、受信機の各部を制御する制御回路である。
【０００５】
以上のように構成された図１０の従来のデジタル放送受信機について、以下その動作を説明する。
【０００６】
アンテナ１０で受信された放送信号は、チューナー２０に入力される。チューナー２０は目的の放送周波数に同調する。チューナー２０から出力された信号は復調手段３０に入力され、復調手段３０は放送方式に対応した復調方式で復調を行う。復調手段３０から出力されたデータは、放送方式に対応した暗号化方式により暗号化されているため、デスクランブラ４０に入力されて復号が行われる。
【０００７】
デスクランブラ４０から出力された複号後のデータは、通常ＭＰＥＧ２−ＴＳ形式となっておりトランスポートデコーダ５０に入力される。トランスポートデコーダ５０では、パケット識別子（ＰＩＤ）デコード処理が行われる。１つのトランスポートストリームには、複数の映像・音声のストリームやＳＩ情報が含まれており、この処理により目的の番組の映像、音声のストリームがＰＥＳあるいはＥＳ形式でそれぞれ抽出される。トランスポートデコーダから出力されたストリームは、ＡＶデコーダ６０に入力され、映像および音声データとしてデコードされる。デコードされた映像データは映像出力部７０に入力され、アナログまたはデジタルの映像信号に変換され出力される。デコードされた音声データは音声出力部８０に入力され、アナログまたはデジタルの音声信号に変換され出力される。
【０００８】
次に視聴者がリモコン９０に対して、受信チャネルを変更する操作を行った場合、その信号はリモコン受信部９５で受信され、制御手段１００に伝えられる。制御手段１００は、次のような制御を各部に対して行う。このときの制御について、図１１を用いて説明する。受信チャネルと送信周波数との関係は、あらかじめ放送波より取得してあるＮＩＴ（Ｎｅｔｗｏｒｋ  Ｉｎｆｏｒｍａｔｉｏｎ  Ｔａｂｌｅ）に格納されており、ＮＩＴを参照して視聴者が指示した受信チャネルの送信波の周波数を取得する。この周波数が、現在受信している周波数と異なる場合には、チューナー２０の同調周波数を変更する。この時点でそれまで受信していた映像および音声はいったん途切れる。チューナー２０が変更後の周波数に同調し、復調手段３０およびデスクランブラ４０が安定動作し、デスクランブラ４０が正常なデータを出力するまで待つ。次にトランスポートデコーダ５０は、トランスポートストリームからＰＡＴを取得し、目的のチャネルのＰＭＴのＰＩＤを得る。その次にＰＭＴを取得し、目的の番組のＰＩＤを得る。これにより、映像および音声ストリームのＰＩＤデコード処理が開始される。
【０００９】
さらにＡＶデコーダ６０は、映像ストリームからシーケンスヘッダを取得し、この情報にしたがって映像デコードを開始するとともに、映像に同期して音声デコードも開始する。デコードされた映像および音声データは、それぞれ映像出力部、音声出力部に入力され、映像および音声の出力が再開される。
【００１０】
このとき、チャネル変更前の映像および音声が途切れて、チャネル変更後の映像および音声が出力されるまでには、チューナー２０が変更後のチャネルに同調する時間と復調手段３０およびデスクランブラ４０が安定動作するまでの時間と、
トランスポートデコーダ５０が目的のＰＡＴ，ＰＭＴを取得し、ＰＩＤデコードを開始するまでの時間と、ＡＶデコーダ６０がシーケンスヘッダを見つけ、映像および音声デコードを開始するまでの時間とが、最低限必要である。
【００１１】
上記のように、従来のデジタル放送受信機では、チャネル切り替えの際に、映像・音声が途切れる時間が長いという問題があった。この問題を解決する手段としては、特許文献１を参照されたい。
【００１２】
【特許文献１】
特開平１１−１２２５４７号公報
【００１３】
【発明が解決しようとする課題】
しかしながら、特許文献１記載の発明では同一周波数で送信されている複数のチャネルおよび番組の切り替えの場合にしか有効でないという問題点を有していた。
【００１４】
本発明は上記従来の問題点を解決するもので、異なる周波数のチャネル切り替えの場合においても、チャネル切り替えに伴う映像・音声が途切れる時間を短縮し、さらにチャネル切り替えの応答時間を短縮する、デジタル放送受信装置を提供することを目的とする。
【００１５】
【課題を解決するための手段】
（１）第１の発明
第１の発明に係るデジタル放送受信機は、複数のチューナーと、前記チューナーの各出力を受けてトランスポートストリームを出力する複数の復調手段と、ストリームのデコードを行う複数のトランスポートデコーダと、前記複数のトランスポートデコーダの各出力を受けて、シーケンスヘッダ情報を取り出す、複数のシーケンスヘッダ検出手段と、前記複数のトランスポートデコーダの出力のうち少なくとも１つのストリームを選択するストリーム選択手段と、前記ストリーム選択手段の出力を受け、映像および音声のデコードを行うＡＶデコーダと、前記複数のチューナー、前記複数の復調手段、前記複数のデスクランブラ、前記複数のトランスポートデコーダ、前記複数のシーケンスヘッダ検出手段、前記ＡＶデコーダの制御を行う制御手段を備えるものである。
【００１６】
（２）第２の発明
第２の発明に係る受信チャネル変更方法は、第１の発明に係るデジタル放送受信機において、視聴者が受信チャネルの変更操作を行ったとき、変更前のチャネルの受信に使用していない、前記チューナー、前記復調手段、前記トランスポートデコーダ、前記シーケンスヘッダ検出手段を使用して変更後のチャネルの受信を行い、変更後のチャネルのシーケンスヘッダを受信し、映像・音声がデコード可能になってから後、前記ストリーム選択手段を変更後のチャネルのストリームを受信している前記トランスポートデコーダ側に切り替えるものである。
【００１７】
（３）第３の発明
第３の発明に係る受信チャネル変更方法は、第１の発明に係るデジタル放送受信機において、視聴者の受信チャネル変更操作に従って第２の発明と同じ方法による受信チャネルの変更を行った後も、変更前のチャネルの受信に使用していた前記チューナー、前記復調手段、前記トランスポートデコーダ、前記シーケンスヘッダ検出手段はそのまま変更前のチャネルの受信を継続しておき、視聴者が受信チャネルを再度変更して以前受信していたチャネルに戻した場合には、前記ストリーム選択手段を以前のチャネルを受信している前記トランスポートデコーダ側に切り替えるものである。
【００１８】
（４）第４の発明
第４の発明に係る受信チャネル変更方法は、第１の発明に係るデジタル放送受信機において、視聴者の受信チャネル変更操作に従って第２の発明と同じ方法による受信チャネルの変更を行った後に、変更前のチャネルの受信に使用していた前記チューナー、前記復調手段、前記トランスポートデコーダ、前記シーケンスヘッダ検出手段は、新たなチャネルを受信するよう選局し、視聴者が受信チャネルを再度変更したときにそのチャネルを選択した場合には、前記ストリーム選択手段をそのチャネルを受信している前記トランスポートデコーダ側に切り替えるものである。
【００１９】
（５）第５の発明
第５の発明に係るデジタル放送受信機は、
複数のチューナーと、前記チューナーの各出力を受けてトランスポートストリームを出力する複数の復調手段と、ストリームのデコードを行う複数のトランスポートデコーダと、前記複数のトランスポートデコーダの各出力を受けて、映像および音声のデコードを行う複数のＡＶデコーダと、前記複数のＡＶデコーダの出力のうち少なくとも１つの映像および音声を選択する映像音声選択手段と、前記複数のチューナー、前記複数の復調手段、前記複数のデスクランブラ、前記複数のトランスポートデコーダ、前記複数のＡＶデコーダ、前記映像音声選択手段の制御を行う制御手段を備えるものである。
【００２０】
（６）第６の発明
第６の発明に係る受信チャネル変更方法は、第５の発明に係るデジタル放送受信機において、視聴者が受信チャネルの変更操作を行ったとき、変更前のチャネルの受信に使用していない、前記チューナー、前記復調手段、前記トランスポートデコーダ、前記ＡＶデコーダを使用して受信を行い、変更後のチャネルの映像・音声のデコードが開始された後、前記映像音声選択手段を変更後のチャネルのストリームをデコードしている前記ＡＶデコーダ側に切り替えるものである。
【００２１】
（７）第７の発明
第７の発明に係る受信チャネル変更方法は、第５の発明に係るデジタル放送受信機において、視聴者の受信チャネル変更操作に従って第２の発明と同じ方法による受信チャネルの変更を行った後も、変更前のチャネルの受信に使用していた前記チューナー、前記復調手段、前記トランスポートデコーダ、前記ＡＶデコーダはそのまま変更前のチャネルの受信を継続しておき、視聴者が受信チャネルを再度変更して以前受信していたチャネルに戻した場合には、前記映像音声選択手段を以前のチャネルを受信している前記ＡＶデコーダ側に切り替えるものである。
【００２２】
（８）第８の発明
第８の発明に係る受信チャネル変更方法は、第５の発明に係るデジタル放送受信機において、視聴者の受信チャネル変更操作に従って第２の発明と同じ方法による受信チャネルの変更を行った後に、変更前のチャネルの受信に使用していた前記チューナー、前記復調手段、前記トランスポートデコーダ、前記ＡＶデコーダは、新たなチャネルを受信するよう選局し、視聴者が受信チャネルを再度変更したときにそのチャネルを選択した場合には、前記映像音声選択手段をそのチャネルを受信している前記ＡＶデコーダ側に切り替えるものである。
【００２３】
（９）第９の発明
第９の発明に係るデジタル放送受信機は、第１の発明または第５の発明に係るデジタル放送受信機において、文字図形等を映像に重畳するＯＳＤ手段をさらに備え、視聴者が受信チャネルを変更する操作を行った場合に、操作を受け付けてから、変更後のチャネルの映像および音声の出力が始まるまで、前記ＯＳＤ手段はチャネル変更処理中であることを示す文字図形を映像に重畳するものである。
【００２４】
（１０）第１０の発明
第１０の発明に係るデジタル放送受信機は、第１の発明または第５の発明または第９の発明に係るデジタル放送受信機において、付加音声を重畳する付加音声手段をさらに備え、視聴者が受信チャネルを変更する操作を行った場合に、チャネル変更を受け付けたことを示す付加音声を重畳するものである。
【００２５】
【発明の実施の形態】
以下、本発明に係るデジタル放送受信機および受信チャネル切り替え方法の一例として、デジタル放送受信セットトップボックス（ＳＴＢ）と、その受信チャネル切り替え方法について説明する。
【００２６】
（実施の形態１）
本発明のデジタル放送受信機およびそのチャネル切り替え方法に関する、実施の形態１について図１および図２を用いて説明する。図１において、１０はアンテナ、２０１、２０２は前記アンテナ１０で受信された放送信号から目的の周波数に同調するチューナー、３０１、３０２は前記チューナー２０１または２０２で選局された信号を放送方式に合わせて復調する復調手段、４０１、４０２はデータが暗号化処理されている場合に復号を行うデスクランブラ、５０１、５０２は前記デスクランブラ４０１および４０２が出力するトランスポートストリームから、目的の番組のストリームを取り出すトランスポートデコーダ、５１１、５１２はストリーム中のシーケンスヘッダを検出するシーケンスヘッダ検出手段、５２１は前記トランスポートポートデコーダ５０１、５０２のいずれかの出力を選択するストリーム選択手段である。ここで第１のチューナー２０１、第１の復調手段３０１、第１のデスクランブラ４０１、第１のトランスポートデコーダ５０１、第１のシーケンスヘッダ検出手段５１１とをまとめて第１の受信系と呼称し、第２のチューナー２０２、第２の復調手段３０２、第２のデスクランブラ４０２、第２のトランスポートデコーダ５０２、第２のシーケンスヘッダ検出手段５１２とをまとめて第２の受信系と呼称することとする。
【００２７】
６０はストリームをデコードし、映像データおよび音声データを出力するＡＶデコーダ、７０はデコードされた映像データを映像信号として出力する映像出力部、８０はデコードされた音声データを音声信号として出力する音声出力部である。また、９０は視聴者の操作を受け付けるリモコン、９５はリモコンの信号を受信するリモコン受信部、１０００は、受信機の各部を制御する制御回路である。
【００２８】
以上のように構成された図１のデジタル放送受信機について、以下その動作を説明する。
【００２９】
アンテナ１０で受信された放送信号は、第１のチューナー２０１に入力される。第１のチューナー２０１は目的の放送周波数に同調する。第１のチューナー２０１から出力された信号は第１の復調手段３０１に入力され、第１の復調手段３０１は放送方式に対応した復調方式で復調を行う。第１の復調手段３０１から出力されたデータは、放送方式に対応した暗号化方式により暗号化されているため、第１のデスクランブラ４０１に入力されて復号が行われる。
【００３０】
第１のデスクランブラ４０１から出力された複号後のデータは、通常ＭＰＥＧ２−ＴＳ形式となっており第１のトランスポートデコーダ５０１に入力される。第１のトランスポートデコーダ５０１では、パケット識別子（ＰＩＤ）デコード処理が行われる。１つのトランスポートストリームには、複数の映像・音声のストリームやＳＩ情報が含まれており、この処理により目的の番組の映像、音声のストリームがＰＥＳあるいはＥＳ形式でそれぞれ抽出される。また、第２の受信系１０２についても、第１の受信系１０１と同様に動作する。
【００３１】
トランスポートデコーダ５０１、５０２から出力されたストリームは、ストリーム選択手段５２１によりいずれか一方が選択された後、ＡＶデコーダ６０に入力され、映像および音声データとしてデコードされる。デコードされた映像データは映像出力部７０に入力され、アナログまたはデジタルの映像信号に変換され出力される。デコードされた音声データは音声出力部８０に入力され、アナログまたはデジタルの音声信号に変換され出力される。
【００３２】
次に視聴者がリモコン９０に対して、受信チャネルを変更する操作を行った場合、その信号はリモコン受信部９５で受信され、制御手段１０００に伝えられる。制御手段１０００は、以下のような制御を各部に対して行う。このときの制御手順について、図２を用いて説明する。
【００３３】
受信チャネルの変更前は、第１の受信系１０１により処理が行なわれているとする。このとき、ストリーム選択手段５２１は第１の受信系１０１側を選択している。
【００３４】
まず、ＮＩＴを参照して視聴者が指示した受信チャネルの送信波の周波数を取得し、第２のチューナー２０２の同調周波数を変更する。第２のチューナー２０２が変更後の周波数に同調し、第２の復調手段３０２および第２のデスクランブラ４０２が安定動作し、第２のデスクランブラ４０２が正常なデータを出力するまで待つ。次に第２のトランスポートデコーダ５０２は、トランスポートストリームからＰＡＴを取得し、目的のチャネルのＰＭＴのＰＩＤを得る。その次にＰＭＴを取得し、目的の番組のＰＩＤを得る。これにより、映像および音声ストリームのＰＩＤデコード処理が開始される。さらに第２のシーケンスヘッダ検出手段５１２により、シーケンスヘッダが検出された時点で、ストリーム選択手段を第２の受信系側に切り替える。
【００３５】
この時点でそれまで受信していた映像および音声はいったん途切れるが、シーケンスヘッダが検出されたタイミングで切り替えているため、ＡＶデコーダ６０は、即座に映像デコードおよび音声デコードも開始する。デコードされた映像および音声データは、それぞれ映像出力部、音声出力部に入力され、映像および音声の出力が再開される。
【００３６】
また、受信チャネルの変更前に、第２の受信系１０２により処理が行なわれている場合には、第１の受信系１０１を用いて同様の処理が行なわれる。
【００３７】
このとき、チャネル変更前の映像および音声が途切れて、チャネル変更後の映像および音声が出力されるまでの期間は、ＭＰＥＧのフレーム間予測に基づく参照画像のデコード時間分となる。以上のように、本実施形態によれば、受信チャネル切り替え時に映像および音声が途切れる時間を大幅に短縮することができる。
【００３８】
（実施の形態２）
本発明の実施の形態２に係るデジタル放送受信機および受信チャネル切り替え方法は、実施の形態１と同じ構成をとり、受信チャネル切り替え方法の一部のみが異なるため、構成については省略する。
【００３９】
視聴者がリモコン９０に対して、受信チャネルを変更する操作を行った場合、その信号はリモコン受信部９５で受信され、制御手段１０００に伝えられる。制御手段１０００は、以下のような制御を各部に対して行う。このときの制御手順について、図３を用いて説明する。
【００４０】
受信チャネルの変更前は、第１の受信系１０１により処理が行なわれているとする。このとき、ストリーム選択手段５２１は第１の受信系１０１側を選択している。まず、第２の受信系１０２により現在受信されているチャネルと視聴者の指示したチャネルとを比較し、一致しない場合には、実施の形態１と同じ手順により受信チャネルの切り替えを行う。一致した場合には、第２のシーケンスヘッダ検出手段５１２がシーケンスヘッダを検出するまで待ち、検出した時点でストリーム選択手段５２１を第２の受信系１０２側を選択するように切り替える。
【００４１】
また、受信チャネルの変更前に、第２の受信系１０２により処理が行なわれている場合には、第１の受信系１０１を用いて同様の処理を行う。
【００４２】
このとき、視聴者がチャネル変更操作を行ってから、チャネル変更後の映像および音声が出力されるまでの期間は、以前受信していたチャネルに戻す場合に限ればシーケンスヘッダの検出に要する時間とＭＰＥＧのフレーム間予測に基づく参照画像のデコード時間とを合わせた時間のみとなり、それ以外のチャネルについては実施の形態１と同等である。
【００４３】
以上のように、本発明によれば、受信チャネル切り替え時に映像および音声が途切れる時間を大幅に短縮することができ、かつ一部のチャネルについてはチャネル切り替え時間も短縮できる。
【００４４】
なお、本実施の形態における受信系は２系統であったが、受信系の数は３個以上あってもよく、この場合は過去に受信していた複数のチャネルに対してチャネル切り替え時間を短縮できる。
【００４５】
（実施の形態３）
本発明の実施の形態３に係るデジタル放送受信機および受信チャネル切り替え方法は、実施の形態２と同じ構成をとり、受信チャネル切り替え方法の一部のみが異なるため、構成については省略する。
【００４６】
視聴者がリモコン９０に対して、受信チャネルを変更する操作を行った場合、その信号はリモコン受信部９５で受信され、制御手段１０００に伝えられる。制御手段１０００は、以下のような制御を各部に対して行う。このときの制御手順について、図４を用いて説明する。
【００４７】
受信チャネルの変更前は、第１の受信系１０１により処理が行なわれているとする。まず、チャネル変更が指示されたとき、実施の形態２と同じ手順によりチャネル切り替えを行う。ストリーム選択手段５２１を第２の受信系１０２側に切り替えた後、第１の受信系１０１をこれまで受信していたチャネルとは別のチャネルに切り替えを行う。別のチャネルの選択方法としては、たとえば、視聴者がリモコンのチャネルアップボタンを押してチャネルを変更した場合には、変更後のチャネルに対してさらに１つ上のチャネル、リモコンのチャネルダウンボタンを押してチャネルを変更した場合には、変更後のチャネルに対してさらに１つ下のチャネルを選択することが考えられる。
【００４８】
このとき、視聴者がチャネル変更操作を行ってから、チャネル変更後の映像および音声が出力されるまでの期間は、第１の受信系１０１で受信しているチャネルに切り替える場合に限ればシーケンスヘッダの検出に要する時間とＭＰＥＧのフレーム間予測に基づく参照画像のデコード時間とを合わせた時間のみとなり、それ以外のチャネルについては実施の形態１と同等である。
【００４９】
以上のように、本発明によれば、受信チャネル切り替え時に映像および音声が途切れる時間を大幅に短縮することができ、かつ一部のチャネルについてはチャネル切り替え時間も短縮できる。
【００５０】
なお、本実施の形態における受信系は２系統であったが、受信系の数は３個以上あってもよく、この場合は複数のチャネルに対してチャネル切り替え時間を短縮できる。
【００５１】
（実施の形態４）
本発明のデジタル放送受信機およびそのチャネル切り替え方法に関する、実施の形態４について図５および図６を用いて説明する。図５において、１０はアンテナ、２０１、２０２は前記アンテナ１０で受信された放送信号から目的の周波数に同調するチューナー、３０１、３０２は前記チューナー２０１または２０２で選局された信号を放送方式に合わせて復調する復調手段、４０１、４０２は暗号化処理されているデータを復号するデスクランブラ、５０１、５０２は前記デスクランブラ４０１および４０２が出力するトランスポートストリームから、目的の番組のストリームを取り出すトランスポートデコーダ、６０１、６０２はストリームをデコードし、映像データおよび音声データを出力するＡＶデコーダ、６２１は前記ＡＶデコーダ６０１、６０２のいずれかの出力を選択する映像音声選択手段である。
【００５２】
ここで第１のチューナー２０１、第１の復調手段３０１、第１のデスクランブラ４０１、第１のトランスポートデコーダ５０１、第１のＡＶデコーダ６０１とをまとめて第１の受信系と呼称し、第２のチューナー２０２、第２の復調手段３０２、第２のデスクランブラ４０２、第２のトランスポートデコーダ５０２、第２のＡＶデコーダ６０２とをまとめて第２の受信系と呼称することとする。
【００５３】
また、７０はデコードされた映像データを映像信号として出力する映像出力部、８０はデコードされた音声データを音声信号として出力する音声出力部である。また、９０は視聴者の操作を受け付けるリモコン、９５はリモコンの信号を受信するリモコン受信部、１００１は、受信機の各部を制御する制御回路である。
【００５４】
以上のように構成された図５のデジタル放送受信機について、以下その動作を説明する。
【００５５】
アンテナ１０で受信された放送信号は、第１のチューナー２０１に入力される。第１のチューナー２０１は目的の放送周波数に同調する。第１のチューナー２０１から出力された信号は第１の復調手段３０１に入力され、第１の復調手段３０１は放送方式に対応した復調方式で復調を行う。第１の復調手段３０１から出力されたデータは、放送方式に対応した暗号化方式により暗号化されているため、第１のデスクランブラ４０１に入力されて復号が行われる。
【００５６】
第１のデスクランブラ４０１から出力された複号後のデータは、通常ＭＰＥＧ２−ＴＳ形式となっており第１のトランスポートデコーダ５０１に入力される。第１のトランスポートデコーダ５０１では、パケット識別子（ＰＩＤ）デコード処理が行われ、目的の番組の映像、音声のストリームがＰＥＳあるいはＥＳ形式でそれぞれ抽出され、ＡＶデコーダ６０１に入力されて映像および音声データにデコードされる。また、第２の受信系１０４についても、第１の受信系１０３と同様に動作する。
【００５７】
ＡＶデコーダ６０１、６０２から出力された映像および音声データは、映像音声選択手段６２１によりいずれか一方が選択される。映像音声選択手段６２１から出力された映像データは映像出力部７０に入力され、アナログまたはデジタルの映像信号に変換され出力される。また、映像音声選択手段６２１から出力された音声データは音声出力部８０に入力され、アナログまたはデジタルの音声信号に変換され出力される。
【００５８】
次に視聴者がリモコン９０に対して、受信チャネルを変更する操作を行った場合、その信号はリモコン受信部９５で受信され、制御手段１００１に伝えられる。制御手段１００１は、以下のような制御を各部に対して行う。このときの制御手順について、図６を用いて説明する。
【００５９】
受信チャネルの変更前は、第１の受信系１０３により処理が行なわれているとする。このとき、映像音声選択手段６２１は第１の受信系１０３側を選択している。
【００６０】
まず、ＮＩＴを参照して視聴者が指示した受信チャネルの送信波の周波数を取得し、第２のチューナー２０２の同調周波数を変更する。第２のチューナー２０２が変更後の周波数に同調し、第２の復調手段３０２および第２のデスクランブラ４０２が安定動作し、第２のデスクランブラ４０２が正常なデータを出力するまで待つ。次に第２のトランスポートデコーダ５０２は、トランスポートストリームからＰＡＴを取得し、目的のチャネルのＰＭＴのＰＩＤを得る。その次にＰＭＴを取得し、目的の番組のＰＩＤを得る。これにより、映像および音声ストリームのＰＩＤデコード処理が開始される。さらに第２のＡＶデコーダによりシーケンスヘッダが検出された後、映像および音声デコードが開始される。第２のＡＶデコーダから映像および音声の出力が開始された時点で映像音声選択手段を第２の受信系１０４側に切り替える。第２の受信系１０４側でデコードされた映像および音声データは、それぞれ映像出力部、音声出力部に入力され、映像および音声は切れ目なく出力される。
【００６１】
また、受信チャネルの変更前に、第２の受信系１０２により処理が行なわれている場合には、第１の受信系１０３を用いて同様の処理が行なわれる。
【００６２】
以上のように、本実施形態によれば、受信チャネル切り替え時に映像および音声を切れ目なく出力することができる。
【００６３】
（実施の形態５）
本発明の実施の形態５に係るデジタル放送受信機および受信チャネル切り替え方法は、実施の形態４と同じ構成をとり、受信チャネル切り替え方法の一部のみが異なるため、構成については省略する。
【００６４】
視聴者がリモコン９０に対して、受信チャネルを変更する操作を行った場合、その信号はリモコン受信部９５で受信され、制御手段１００１に伝えられる。制御手段１００１は、以下のような制御を各部に対して行う。このときの制御手順について、図７を用いて説明する。
【００６５】
受信チャネルの変更前は、第１の受信系１０１により処理が行なわれているとする。このとき、映像音声選択手段６２１は第１の受信系１０３側を選択している。まず、第２の受信系１０４により現在受信されているチャネルと、視聴者の指示したチャネルとを比較し、一致しない場合には、実施の形態４と同じ手順により受信チャネルの切り替えを行う。一致した場合には、即座に映像音声選択手段６２１を第２の受信系１０４側を選択するように切り替える。
【００６６】
また、受信チャネルの変更前に、第２の受信系１０４により処理が行なわれている場合には、第１の受信系１０３を用いて同様の処理を行う。
【００６７】
このとき、視聴者のチャネル操作が以前受信していたチャネルに戻す場合に限れば、映像および音声は即座に切れ目なく切り替えられ、それ以外の場合には、視聴者がチャネル変更操作を行ってから、チャネル変更後の映像および音声が出力されるまでの期間は、実施の形態４と同等である。
【００６８】
以上のように、本発明によれば、受信チャネル切り替え時に映像および音声を切れ目なく出力することができ、かつ一部のチャネルについてはチャネル切り替えを即座に行うことができる。
【００６９】
なお、本実施の形態における受信系は２系統であったが、受信系の数は３個以上あってもよく、この場合は過去に受信していた複数のチャネルに対してチャネル切り替えを即座に行うことができる。
【００７０】
（実施の形態６）
本発明の実施の形態６に係るデジタル放送受信機および受信チャネル切り替え方法は、実施の形態４と同じ構成をとり、受信チャネル切り替え方法の一部のみが異なるため、構成については省略する。
【００７１】
視聴者がリモコン９０に対して、受信チャネルを変更する操作を行った場合、その信号はリモコン受信部９５で受信され、制御手段１０００に伝えられる。制御手段１０００は、以下のような制御を各部に対して行う。このときの制御手順について、図８を用いて説明する。
【００７２】
受信チャネルの変更前は、第１の受信系１０３により処理が行なわれているとする。まず、チャネル変更が指示されたとき、実施の形態５と同じ手順によりチャネル切り替えを行う。映像音声選択手段６２１を第２の受信系１０４側に切り替えた後、第１の受信系１０３をこれまで受信していたチャネルとは別のチャネルに切り替えを行う。別のチャネルの選択方法としては、たとえば、視聴者がリモコンのチャネルアップボタンを押してチャネルを変更した場合には、変更後のチャネルに対してさらに１つ上のチャネル、リモコンのチャネルダウンボタンを押してチャネルを変更した場合には、変更後のチャネルに対してさらに１つ下のチャネルを選択することが考えられる。
【００７３】
このとき、視聴者のチャネル操作が、第１の受信系１０３で受信しているチャネルに切り替える場合に限れば、映像および音声は即座に切れ目なく切り替えられ、それ以外の場合には、視聴者がチャネル変更操作を行ってから、チャネル変更後の映像および音声が出力されるまでの期間は、実施の形態４と同等である。
【００７４】
以上のように、本発明によれば、受信チャネル切り替え時に映像および音声を切れ目なく出力することができ、かつ一部のチャネルについてはチャネル切り替えを即座に行うことができる。
【００７５】
なお、本実施の形態における受信系は２系統であったが、受信系の数は３個以上あってもよく、この場合は複数のチャネルに対してチャネル切り替え時間を短縮できる。
【００７６】
（実施の形態７）
本発明の実施の形態７に係るデジタル放送受信機の構成を図９に示す。ず９において、７０１はあらかじめ保存されている文字図形等をデコードされた映像に重畳するＯＳＤ手段であり、８０１は、デコードされた音声にあらかじめ保存されている付加音声を重畳する付加音声手段であり、１００２はＯＳＤ手段７０１、付加音声手段８０１を含む各部を制御する制御手段である。これら以外は本発明の実施の形態４と同一であるため、説明は省略する。
【００７７】
視聴者がリモコン９０に対して、受信チャネルを変更する操作を行った場合、その信号はリモコン受信部９５で受信され、制御手段１００２に伝えられる。制御手段１００２は、ＯＳＤ手段７０１に対して、チャネル変更を受け付けたことを示すメッセージを文字または図形により表示するよう指示する。また、付加音声手段８０１に対して、チャネル変更を受け付けたことを示す付加音声を出力するよう指示する。
【００７８】
以上のように、本発明によれば、視聴者が受信チャネルの変更操作を行った際に、文字図形および音声により操作が受け付けられたことを視聴者に伝えることができるので、視聴者は操作が受け付けられたことを判別し、同じ操作を複数回繰り返すような誤りを回避できる。なお本実施の形態ではＯＳＤ手段７０１と付加音声手段８０１の両方を備えた例を示したが、いずれか一方を備えた場合の効果も同様である。また、実施の形態１に対してＯＳＤ手段あるいは付加音声手段あるいはその両方を備えても同様の効果が得られる。
【００７９】
【発明の効果】
以上のように、本発明によれば、異なる周波数のチャネル切り替えの場合においても、チャネル切り替えに伴う映像・音声が途切れる時間を短縮し、さらにチャネル切り替えの応答時間を短縮する、デジタル放送受信装置を提供することができる。
【図面の簡単な説明】
【図１】本発明の実施の形態１におけるデジタル放送受信機の構成を示すブロック図
【図２】本発明の実施の形態１における受信チャネル変更方法を示すフローチャート
【図３】本発明の実施の形態２における受信チャネル変更方法を示すフローチャート
【図４】本発明の実施の形態３における受信チャネル変更方法を示すフローチャート
【図５】本発明の実施の形態４におけるデジタル放送受信機の構成を示すブロック図
【図６】本発明の実施の形態４における受信チャネル変更方法を示すフローチャート
【図７】本発明の実施の形態５における受信チャネル変更方法を示すフローチャート
【図８】本発明の実施の形態６における受信チャネル変更方法を示すフローチャート
【図９】本発明の実施の形態７におけるデジタル放送受信機の構成を示すブロック図
【図１０】従来のデジタル放送受信機の構成を示すブロック図
【図１１】従来のデジタル放送受信機における受信チャネル変更方法を示すフローチャート
【符号の説明】
１０  アンテナ
２０１、２０２  チューナー
３０１，３０２  復調手段
４０１、４０２  デスクランブラ
５０１、５０２  トランスポートデコーダ
６０１、６０２  ＡＶデコーダ
７０  映像出力部
８０  音声出力部
９０  リモコン
９５  リモコン受信部
５１１、５１２  シーケンスヘッダ検出手段
５２１  ストリーム選択手段
６２１  映像音声選択手段
７０１  ＯＳＤ手段
８０１  付加音声手段
１０１、１０２、１０３、１０４  受信系
１０００、１００１、１００２  制御手段
【図１】
2004328366.tif 000003
【図２】
2004328366.tif 000004
【図３】
2004328366.tif 000005
【図４】
2004328366.tif 000006
【図５】
2004328366.tif 000007
【図６】
2004328366.tif 000008
【図７】
2004328366.tif 000009
【図８】
2004328366.tif 000010
【図９】
2004328366.tif 000011
【図１０】
2004328366.tif 000012
【図１１】
2004328366.tif 000013